(57)【要約】      （修正有）【課題】視認性の良い棒ウキの感度を高めた新しい棒ウキを提供する。【解決手段】浮力を担う小型ウキ９の中心に径の小さい中実のソリッド２を数本通し、上部はキャップ１０を被せて接着してウキトップを構成し、下端は適合オモリ７とサルカン３を取り付ける。径の小さいソリッド２数本を林立させてウキトップを構成すると、十分な視認性が得られるとともに高感度である。【選択図】図３
2009213452.tif 000002
【特許請求の範囲】
【請求項１】
数本のソリッドでウキトップを構成したことを特徴とする棒ウキ。
【発明の詳細な説明】
【発明の詳細な説明】
【産業上の利用分野】
本発明は、いろいろな種類の釣り用ウキの中で、その一つである棒ウキに関するものである。
【背景技術】  釣り用ウキを形状面から大きく分類すると、図１に示すように二種類ある。一つは円錐ウキ（Ａ１）や球ウキ（Ａ２）と呼ばれている球状のものと、もう一つは棒ウキ（Ｂ）と呼ばれている棒状のものに大別できる。
両ウキは気象／海象や釣り場の状況によって使い分けているが、アタリ（魚がエサに喰いつくこと）に対する感度や、それを見極める視認性を比較すれば、一般的に棒ウキが球状のウキより優れている。
その棒ウキの視認性と感度は、相反する関係にある。即ち、視認性を良くするには感度を犠牲に、感度を高めるには視認性を犠牲にしなければならない。この関係は棒ウキの構造に起因しており、図２にて視認性と感度の関連を解説する。【０００１】  最初に棒ウキの構造を説明する。棒ウキは、浮力を受け持つボディ１にソリッド２と言う軸を立てて固着し、そのソリッド２に鮮やかな色を塗って視認性を持たせる。なお、ボディ１の下短にはサルカン３が固着してある。
この棒ウキを使う時は、ミチ糸４に取り付けてあるスイベル５をサルカン３へ接続して投げる。その結果、棒ウキはミチ糸４に付けているウキ止６までスライドし、適合オモリ７で下方へ引っ張られて水面に立つ。
以降の説明においては、喫水線から上のソリッド２をウキトップと総称する。【０００２】  次に、本題である棒ウキの視認性と感度の関連について説明する。
図２の（Ａ）と（Ｂ）で示す棒ウキは、感度において（Ａ）が（Ｂ）に優っている。しかし、視認性は逆に（Ｂ）が（Ａ）より優っている。この異なった特徴を呈する訳は、ウキトップの違いにある。
（Ａ）のウキトップは、例えばカーボン製で径が小さい中実のソリッド２（図２中のａ−ａ矢視）で構成している。ボディ１の形状もスリムである。従ってアタリに対する感度は、流体摩擦が小さく且つウキトップの浮力も無いので極めて優れている。しかし、径の小さいウキトップであるが故に遠投した場合の視認性は劣る。
（Ｂ）のウキトップは、径の大きな中空のソリッド２（図２中のｂ−ｂ矢視）になっている。ボディ１の形状も（Ａ）より太い。従って、アタリに対する感度は流体摩擦が大きく、且つウキトップが中空のため浮力を有するので劣る。しかし、径の大きいウキトップであるが故に視認性は優れている。
ウキトップが喫水線より沈み込んで没水するまでに生する浮力は、残留浮力（残浮力または余浮力と表現した文献あり）と言う。ウキの感度を高めるためには、下記の値を小さくしなければならない。
ボディ１とウキトップの流体摩擦  ＋  残留浮力
一方、視認性を良くするためにはウキトップの径を大きくしなければならないが、其の分、流体摩擦と残留浮力も大きくなり感度へ悪影響を及ぼす。【０００３】  現在、視認性が良く感度の高い棒ウキを指向した幾つかの提案がある。
特開平１０−５６９３０と特開２００７−３３０１６５は、ウキトップに中空で大きなソリッドを設けて視認性を良くする一方、残留浮力を無くすために開口部を設けて、流体がウキトップ内を流通するようにした提案である。
特開２００１−２５１９９８は、ウキトップをＹ字形に組んだ平板で構成して視認性を良くする提案である。
いずれも残留浮力の無い点は評価できるが、従来の感度の高い棒ウキと比べれば、流体摩擦が大きくなっているために、感度を犠牲にしていると言わざるを得ない。
更に市販商品の中にも、視認性と感度の両方の特長を狙った棒ウキがある。その一つを紹介する。図２の（Ｃ）で示す旗８を付けた棒ウキが、それである。この旗８を（Ａ）に示す感度の高い棒ウキのソリッド２の頂部に取り付けてウキトップを構成する。この手段によって両立を図っているが、アタリに対するウキトップの沈み込みは、ソリッド２の径が小さいために見えづらい。従って、アタリの感知は旗８の沈み込みまで待たなければならない点が欠点である。
【発明が解決しようとする課題】
本発明の狙いは、視認性の良い棒ウキの感度を如何にして高めるかにある。そのために、従来に代わる新しい棒ウキを提供する。
なお、図２（Ｄ）に示す市販の小型ウキ９は、課題の解決に供したもので、以降の説明に用いるために外観を示す。この小型ウキ９は、ボディ１とソリッド２が、一体成型された構造になっている。
【課題を解決するための手段】
図３は、試作した本発明の棒ウキの全体構造と使用している状態を示す。図３を説明する前に、この棒ウキの構造化手段を図４にて説明する。
小型ウキ９に数箇所の貫通穴（試作品は同心円上に４箇所）を設けて、それぞれの穴に径の小さな中実のソリッド２を通し接着する。ソリッド２の上端は、キャップ１０を被せて接着する。下端は、束ねて縛りサルカン３を設ける。
【作用】
図３の説明をする。
本図は、本発明の棒ウキの全体構造と使用している状態を示す。適合オモリ７を付けることにより、小型ウキ９の頂点が喫水線になるように調整してある。ソリッド２は、感度を重視した前掲図２（Ａ）と概ね同じ径で中実のカーボン材を使っているので、残留浮力は有しない。
視認性を確認するために、実釣試験を行った。その結果は、径の小さいソリッド２の一本だけでは見えづらいが、数本を林立させてウキトップを構成すると、十分な視認性が得られることを確認した。しかも、図３に示した試作品は、４本のソリッド２を配した同心円の径が前掲図２（Ｂ）のウキトップの径より大きいので、視認性は（Ｂ）より良い結果を呈した。
感度についての実験は、棒ウキを水槽に浮かべてウキトップの頂部を瞬間的に軽くつつき、その時の沈み込み具合を目視確認する方法で行った。実験の結果は、前掲図２（Ａ）より僅かに劣る程度で、前掲図２（Ｂ）よりは優れている。この点を、本発明の構造的な特徴から考察すれば、次の通りである。
感度が前掲図２（Ａ）より僅かに劣る点については、数本のソリッド２から構成しているが故に、１本から成る（Ａ）のウキトップより流体摩擦が増えている。この点が感度を落とした原因であると考えられる。
一方、感度が前掲図２（Ｂ）より優れている点については、残留浮力の有無の差と考えられる。
【実施例】  図５は、図３で示した試作品の視認性を保持すると共に、更に感度を高めるために講じた手段を示す。
小型ウキ９の中心を通すソリッド２は、剛性のあるもの（例えばカーボン材）を使い、同心円に配するソリッド２としては、カラーのミチ糸（試作は５号サイズの黒色ミチ糸を使用）を使っている。このミチ糸を弛みが無いようにして、キャップ１０へ貼り付けている。上記のカラーのミチ糸は柔軟な物であるが故にソリッド２の定義にそぐわないが、本説明においては等価とする。
この手段により、ウキトップの軽量化が図られボディ１を更にスリム化している。そのために、流体摩擦は図３より小さくなっている。ボディ１の下からサルカン３までを剛性のあるソリッド２のみとしていることも、流体摩擦の低減に寄与している。その結果、感度は図３より高くなった。
【発明の効果】
本発明により、視認性が良く感度の高い棒ウキを提供することが可能となった。ウキトップが軽量のため、喫水線からの高さも従来の棒ウキより高くとれる。この点が、更に視認性を良くしている。
遠投しても、弱いアタリの感知が出来る。
気象や海象により、従来のウキでは見え辛い時の釣りが出来る。視力の弱い人や、高齢化により視力が衰えてきた人の釣りを可能にする
ウキトップに隙間を有するため、横風に対して倒れにくい。
しかしながら隙間の存在は、投げて着水した時にハリスがウキトップと重なって、引っ掛かるのではないかという点が懸念される。
この点は特開２００２−２３８４２６を適用した商品（図６参照）と併用することで解消することが出来る。
なお、本発明を単独に用いた実釣実験において、この懸念は現れなかった。
【図面の簡単な説明】
【図１】  従来のウキの種類を示した図である。
【図２】  従来の棒ウキの視認性と感度の関係を示した図である。
【図３】  本発明の棒ウキ（試作品）を示した図である。
【図４】  本発明の棒ウキ（試作品）の構造化手段を示した図である。
【図５】  本発明の棒ウキの実施例（ソリッドにミチ糸を併用）を示した図である。
【図６】  特開２００２−２３８４２６を適用した商品の紹介を示した図である。
【符号の説明】
１  ボディ
２  ソリッド
３  サルカン
４  ミチ糸
５  スイベル
６  ウキ止
７  適合オモリ
８  旗
９  小型ウキ
１０  キャップ
【図１】
2009213452.tif 000003
【図２】
2009213452.tif 000004
【図３】
2009213452.tif 000005
【図４】
2009213452.tif 000006
【図５】
2009213452.tif 000007
【図６】
2009213452.tif 000008